(57)【要約】【課題】本発明は、時分割方式電力増幅モジュールに関する。【解決手段】本発明の時分割方式電力増幅モジュールは、送信信号が入力されるか受信信号が出力される第１ポートＰ１；受信信号が入力されるか送信信号が出力される第２ポートＰ２；前記第１、第２ポート間に直列接続され前記送受信信号の波長（λ）に対して１／４の長さを有し受信信号の伝送経路を形成する第１、第２伝送ラインＬ１、Ｌ２；前記第１ポートＰ１から入力された無線信号を増幅して第２ポートＰ２へ出力する電力増幅部４２；前記第１、第２ポートＰ１，Ｐ２と電力増幅部４２の入出力端間に各々設けられ、時分割制御信号に応じてオン／オフスイッチング動作することにより、第１ポートＰ１から電力増幅部を通して第２ポートＰ２に繋がる送信信号伝送経路を形成または遮断する第１、第２スイッチング手段Ｄ１、Ｄ２；第３スイッチング手段Ｄ３；第３、第４伝送ラインＬ３、Ｌ４から成る。【選択図】図２
2004364237.tif 000002
【特許請求の範囲】
【請求項１】
送信信号が入力されるか受信信号が出力される第１ポートと、
受信信号が入力されるか送信信号が出力される第２ポートと、
前記第１、第２ポート間に直列接続され前記送受信信号の波長（λ）に対して１／４の長さを有し受信信号の伝送経路を形成する第１、第２伝送ラインと、
前記第１ポートから入力された無線信号を増幅して第２ポートへ出力する電力増幅部と、
前記第１、第２ポートと電力増幅部の入出力端間に各々設けられ、時分割制御信号に応じてオン／オフスイッチング動作することにより、前記第１ポートから電力増幅部を通して第２ポートに繋がる送信信号伝送経路を形成または遮断する第１、第２スイッチング手段と、
前記第１、第２伝送ラインの接点とグラウンド間に設けられ前記時分割制御信号に応じてオン／オフスイッチング動作して、第１、第２伝送ラインからの受信信号の伝送を遮断または維持する第３スイッチング手段と、
前記時分割制御信号が入力される入力端と前記第１、第２スイッチング手段とを各々接続し、時分割制御信号を第１、第２、第３スイッチング手段のスイッチングのためのバイアス信号として印加し前記送受信信号の波長（λ）に対して１／４の長さを有する第３、第４伝送ラインと、
を有することを特徴とする時分割方式電力増幅モジュール。
【請求項２】
前記電力増幅部は、
前記第１、第２スイッチング手段間に設けられて入力された送信信号を所定の利得で増幅する電力増幅器と、
前記電力増幅器の入出力端と第１、第２スイッチング手段間に各々設けられてインピーダンスマッチングを行う第１、第２マッチングネットワークと、
を有することを特徴とする請求項１に記載の時分割方式電力増幅モジュール。
【請求項３】
前記電力増幅部は、増幅信号の出力端に高調波信号を除去するフィルターあるいは当該フィルターと同等な機能を有する回路をさらに有することを特徴とする請求項１に記載の時分割方式電力増幅モジュール。
【請求項４】
前記第１、第２、第３スイッチング手段はピンダイオードであることを特徴とする請求項１に記載の時分割方式電力増幅モジュール。
【請求項５】
前記電力増幅部は、前記時分割制御信号に応じて動作状態または非動作状態になることを特徴とする請求項１に記載の時分割方式電力増幅モジュール。
【請求項６】
前記電力増幅器の出力に設けられた第２マッチングネットワークは増幅された送信信号に含まれる可能性がある高調波成分を除去するフィルターあるいは当該フィルターと同等な機能を有するその他の回路を含むことを特徴とする請求項２に記載の時分割方式電力増幅モジュール。
【請求項７】
ブルートゥース規格に従い時分割方式により送／受信データを変復調するブルートゥーストランシーバーＩＣ及び前記ブルートゥーストランシーバーＩＣの時分割送受信モード制御信号に応じてアンテナ端を選択的に前記トランシーバーＩＣの送信信号出力端または受信信号入力端に接続する時分割送受信スイッチを含んで成るクラス２ブルートゥースモジュールと、
前記クラス２ブルートゥースモジュールとアンテナ間に設けられ、前記ブルートゥーストランシーバーＩＣの時分割送受信モードに応じて動作し送信信号は増幅してアンテナへ、受信信号は前記クラス２ブルートゥースモジュールへ伝送する時分割方式電力増幅モジュールと、
を有することを特徴とするクラス１ブルートゥースモジュール。
【発明の詳細な説明】
【技術分野】
【０００１】
本発明はブルートゥース（Ｂｌｕｅｔｏｏｔｈ）方式による無線送受信機に関するもので、より詳しくは時分割方式により制御されて送信モードでのみ増幅動作し受信モードでは伝送線路として機能する時分割方式電力増幅モジュールに関するものである。
【背景技術】
【０００２】
ブルートゥースは各種電子機器間の通信において物理的なケーブル無しで無線周波数を利用し、高速でデータのやりとりが可能なコンピュータ及び通信産業界の規格として、移動電話、コンピュータ、ＰＤＡなどの近距離無線接続に利用される。その動作は中心が２．４５ＧＨｚである７９個の独立した１ＭＨｚチャネル間を１秒当り１６００回の速度で周波数ホッピングし、１ｍＷ送信電力で１０メートル離れた装置間に７６４ｋｂｐｓの速度で帯域幅を伝送するもので、送信と受信を交互に行う時分割多重化（ＴＤＤ）方式に従っている。
【０００３】
また、ブルートゥース装置はデータの他にも音声チャネルを最大３個まで使用でき、接続は点対点やマルチポイントが可能である。この技術を利用すると、セルラーホン、無線呼出機及びＰＤＡのユーザーは３つの機能を併せた電話機を得ることができ、該電話機は家庭やオフィスの携帯用電話機として２種の機能を果たすことができる。また、デスクトップやノート型コンピュータ内の情報と迅速に同期化でき、ファックスの送受信が可能で、プリンター出力することもできる。そして、一般的に全ての携帯用及び固定式コンピュータ装置と完全な共同作用が可能である。この技術を利用するためには各装置毎にブルートゥーストランシーバー（ｔｒａｎｓｃｅｉｖｅｒ）チップ（ＩＣ）を装着しなければならない。
【０００４】
さらに、ブルートゥース規格の定義によると、ブルートゥース機器は送出できる出力電力に応じてクラス１、クラス２、クラス３に区分される。このうちクラス２に区分される機器は一般に０ｄＢｍ（送受信距離約１０ｍ）の出力電力を有するもので、図５に表すようにブルートゥースモジュールを具備する。図示のように、クラス２のブルートゥースモジュール（１１０）は、上述のブルートゥース規格に従い時分割方式により送／受信データを変復調するブルートゥーストランシーバーＩＣ（１１１）と、前記ブルートゥーストランシーバーＩＣ（１１１）の送信信号（ＴＸ）出力端と受信信号（ＲＸ）入力端に各々接続されインピーダンスマッチングを行う第１、第２マッチングネットワーク（１１２、１１３）と、前記ブルートゥーストランシーバーＩＣ（１１１）から出力される時分割送信モードのオン信号（ＴＤＤ  ＴＸ−ＯＮ信号）により動作し前記第１、第２マッチングネットワーク（１１２、１１３）のうち、一つを選択接続する時分割方式送受信スイッチ（１１４）と、前記時分割方式送受信スイッチ（１１４）とアンテナ（ＡＮＴ）端との間に設けられ送受信信号をフィルタリングするフロントエンドフィルター（１１５）とで成る。
【０００５】
前記クラス２のブルートゥースモジュール（１１０）は前記ブルートゥーストランシーバー（１１１）から出力される送信信号を別途の増幅無しで約０ｄＢｍで送出することにより、約１０ｍの送受信距離を有する。
【０００６】
これに比べて、ブルートゥース規格に定めるクラス１の機器は送信信号の送出電力が２０ｄＢｍ（送受信距離約１００ｍ）とされており、図６のように構成されたブルートゥースモジュールを具備しなければならない。図６によると、クラス１のブルートゥースモジュール（１２０）は、上述したブルートゥース規格に従って時分割方式により送／受信データを変復調するブルートゥーストランシーバーＩＣ（１２１）と、前記ブルートゥーストランシーバーＩＣ（１２１）の送信信号（ＴＸ）出力端と受信信号（ＲＸ）入力端に各々接続されインピーダンスマッチング（インピーダンス整合）を行う第１、第２マッチングネットワーク（１２２、１２３）と、前記第１マッチングネットワーク（１２２）に接続され前記ブルートゥーストランシーバーＩＣ（１２１）の制御により送信モードに同期し動作して送信信号を増幅する電力増幅器（１２４）と、前記電力増幅器（１２４）の出力端に接続されインピーダンスマッチングを行う第３マッチングネットワーク（１２５）と、前記ブルートゥーストランシーバーＩＣ（１２１）から出力される時分割送信モードのオン信号（ＴＤＤ  ＴＸ−ＯＮ信号）により動作し第３マッチングネットワーク（１２５）と第２マッチングネットワーク（１２３）のうち、一つを選択接続する時分割方式送受信スイッチ（１２６）と、前記時分割方式送受信スイッチ（１２６）とアンテナ（ＡＮＴ）端との間に設けられ送受信信号をフィルタリングするフロントエンドフィルター（１２７）とで成る。
【０００７】
前記クラス１ブルートゥースモジュールとクラス２ブルートゥースモジュールは適用対象が必要とする送受信距離に応じて選択的に使用できる。
【発明の開示】
【発明が解決しようとする課題】
【０００８】
ところで、一般にブルートゥースモジュールのメーカーは上述したクラス１モジュールとクラス２モジュールを別途に開発供給している為、クラス２を製造するメーカーの立場ではクラス１モジュールを開発するのに別途の開発期間と人員を投入しなければならず、これよりクラス１モジュールの製品単価が上がってしまい、製品ユーザーの立場ではクラス２に比して相対的に需要の少ないクラス１モジュールを使用するために高費用に耐えなければならないという問題があった。かかる理由により現在のところクラス２に比してクラス１モジュールの供給量が相対的に少ない現状である。
【０００９】
また、最近では図７に示すように、マッチングネットワーク（３１１、３１２）及び時分割送受信スイッチ（３１３）をブルートゥーストランシーバーＩＣ（１３１）に含ませて高集積化したブルートゥーストランシーバーＩＣが生産されてきており、必要に応じてフロントエンドフィルター（１３３）の他に平衡信号（ｂａｌａｎｃｅｄ  ｓｉｇｎａｌ）を不平衡信号（ｕｎｂａｌａｎｃｅｄ  ｓｉｇｎａｌ）に変換するバルントランス（１３２）がさらに含まれる。そして、最近の技術は前記において外部素子であるバルントランス（１３２）とフロントエンドフィルター（１３３）まで含ませようとする試みを図っている。
【００１０】
とりわけ、前記図７に示すように、時分割送受信スイッチング機能まで集積化したブルートゥーストランシーバーＩＣを使用する場合、クラス１ブルートゥースモジュールの製造にあたって、発熱及び電磁波発生などにより集積化し難い電力増幅器の接続が困難になる。
【００１１】
これについて本発明は上述した従来の問題点を解決すべく案出されたもので、その目的は、時分割方式により制御され送信モードでのみ増幅動作し受信モードでは伝送線路として機能することにより、従来のクラス２ブルートゥースモジュールとの結合により簡単にクラス１ブルートゥース機能を具現できる時分割方式電力増幅モジュールを提供することにある。
【００１２】
さらに、本発明の他の目的は、時分割送受信スイッチング機能まで集積化したブルートゥーストランシーバーＩＣに結合され簡単にクラス１ブルートゥース機能を具現できる時分割方式電力増幅モジュールを提供することにある。
【課題を解決するための手段】
【００１３】
上述した本発明の目的を成し遂げるための構成手段として本発明は、送信信号が入力されるか受信信号が出力される第１ポート；受信信号が入力されるか送信信号が出力される第２ポート；前記第１、第２ポート間に直列接続され前記送受信信号の波長（λ）に対して１／４の長さを有し受信信号の伝送経路を形成する第１、第２伝送ライン；前記第１ポートから入力された無線信号を増幅して第２ポートへ出力する電力増幅部；前記第１、第２ポートと電力増幅部の入出力端間に各々設けられ、時分割制御信号に応じてオン／オフスイッチング動作することにより、第１ポートから電力増幅部を通して第２ポートに繋がる送信信号伝送経路を形成または遮断する第１、第２スイッチング手段；前記第１、第２伝送ラインの接点とグラウンド間に設けられ前記時分割制御信号に応じてオン／オフスイッチング動作して、第１、第２伝送ラインへの受信信号の伝送を遮断または維持する第３スイッチング手段；及び、前記時分割制御信号が入力される入力端と前記第１、第２スイッチング手段とを各々接続して、時分割制御信号を第１、第２、第３スイッチング手段のスイッチングのためのバイアス信号として印加し前記送受信信号の波長（λ）に対して１／４の長さを有する第３、第４伝送ラインから成る時分割方式電力増幅モジュールを提供して、送信信号でのみ増幅動作し、受信信号では電力増幅器を通さずそのまま通過させることにより、不要な電力消耗を省き消費電力を節減し、従来の製品化されたクラス２ブルートゥースモジュールとの結合により容易にクラス１ブルートゥース機能を具現できる効果を奏する。
【００１４】
そして、前記電力増幅部は、前記第１、第２スイッチング手段間に設けられ入力された送信信号を所定の利得で増幅する電力増幅器；及び、前記電力増幅器の入出力端と第１、第２スイッチング手段との間に各々設けられインピーダンスマッチングを行う第１、第２マッチングネットワークから成り、送信信号を損失や歪曲無しで所望の利得で増幅できる。また、前記電力増幅部は増幅信号の出力端に高調波信号を除去するフィルターあるいはこれと同等な機能を行う回路をさらに設けることにより、増幅された送信信号に含まれかねない高調波成分を除去できる。さらに、前記電力増幅部は前記時分割制御信号に応じて動作状態または非動作状態に制御されることにより、時分割送受信方式の場合、送信モードでのみ増幅機能を行い不要な電力消耗を減少させる効果を奏する。さらに、本発明による時分割方式電力増幅モジュールにおいて、前記第１、第２、第３スイッチング手段はピンダイオードとすることができ、あるいは前記機能を行えるその他の回路または素子としてもよい。
【００１５】
さらに、本発明は、ブルートゥース規格に従い時分割方式により送／受信データを変復調するブルートゥーストランシーバーＩＣ及び前記ブルートゥーストランシーバーＩＣの時分割送受信モード制御信号に応じてアンテナ端を選択的に前記ブルートゥーストランシーバーＩＣの送信信号出力端または受信信号入力端に接続する時分割送受信スイッチを含んで成るクラス２ブルートゥースモジュール；及び、前記クラス２ブルートゥースモジュールとアンテナ間に設けられ、前記ブルートゥーストランシーバーＩＣの時分割送受信モードに応じて動作し送信信号は増幅してアンテナへ、受信信号は前記クラス２ブルートゥースモジュールへ伝送する時分割方式電力増幅モジュールから成り、製造が容易で生産費を節減できるクラス１ブルートゥース機能を提供することができる。
【発明の効果】
【００１６】
上述したように、本発明による時分割方式電力増幅モジュールは時分割方式により増幅動作して必要な場合にのみ電力を消耗することにより、不要な電力消耗が節減でき、さらにクラス２規格のブルートゥースモジュールとの単純結合により、クラス１規格のブルートゥース機能を簡単に追加費用が少なく製造することのできる優れた効果を奏する。
【発明を実施するための最良の形態】
【００１７】
以下、添付の図面に基づき本発明による時分割方式電力増幅モジュールについて詳細に説明する。図１は本発明による時分割方式電力増幅モジュールから成るクラス１ブルートゥースモジュールを示したブロック図として、ユーザーインターフェースに接続されたクラス２ブルートゥースモジュール（１１０）のアンテナ端（ＡＮＴ）に時分割電力増幅モジュール（４０）のポート１を接続し、前記時分割電力増幅モジュール（４０）のポート２をアンテナに接続して成る。この際、前記クラス２ブルートゥースモジュール（１１０）は図５に示すような構成となり、ここで、前記クラス２ブルートゥースモジュール（１１０）のＴＤＤ送受信信号（ＴＤＤ−ＴＸＯＮ）と電流制御信号が時分割電力増幅モジュール（４０）に印加され、後述する図２、図３及び図４において説明する動作を行うよう制御する。したがって、従来のクラス２ブルートゥースモジュール（１１０）に本発明による時分割電力増幅モジュール（４０）を簡単に接続することで、クラス１ブルートゥースモジュールを容易に具現できる。ここで、請求項７は本発明による時分割方式電力増幅モジュールを含んで成るクラス１ブルートゥースモジュールを請求するもので、図１の符号１１０は従来の技術で説明した図５のクラス２ブルートゥースモジュールと同一ものである。従って、時分割方式送受信スイッチ（１１４）は、ブルートゥーストランシーバーＩＣ（１１１）から出力される時分割送信モードのオン信号（ＴＤＤ  ＴＸ−ＯＮ信号）により動作しブルートゥーストランシーバーＩＣ（１１１）の送信信号出力端または受信信号入力端に接続するのを選択接続する（選択的）。
【００１８】
図２は本発明による時分割方式電力増幅モジュールの実施例を表す構成図として、送受信信号が入出力される第１、第２ポート（Ｐ１、Ｐ２）と、前記第１ポート（Ｐ１）にキャパシター（Ｃ１）を通して一端が接続され送受信信号の波長（λ）について１／４の長さを有する第１伝送ライン（Ｌ１）と、前記第１伝送ライン（Ｌ１）の他端部にその一端が接続され他端はキャパシター（Ｃ５）を通して第２ポート（Ｐ２）に接続され送受信信号の波長（λ）に対して１／４の長さを有する第２伝送ライン（Ｌ２）と、前記キャパシター（Ｃ１）を通して第１ポート（Ｐ１）に陰極が接続される第１ピンダイオード（Ｄ１）と、前記キャパシター（Ｃ５）を通して第２ポート（Ｐ２）に陰極が接続される第２ピンダイオード（Ｄ２）と、前記第１ピンダイオード（Ｄ１）の陽極にキャパシター（Ｃ２）を通して接続されインピーダンスマッチングを行う（必要に応じて不平衡−平衡信号間変換も行う）マッチングネットワーク（４１）と、時分割制御信号（ＴＤＤ  ＴＸ−ＯＮ信号）が入力され前記信号に応じて動作し前記マッチングネットワーク（４１）を通して入力された送信信号を所定の利得で増幅する電力増幅器（４２）と、前記電力増幅器（４２）の出力に一端が接続され他端はキャパシター（Ｃ４）を通して第２ピンダイオード（Ｄ２）に接続されインピーダンスマッチング（インピーダンス整合）を行う（必要に応じて不平衡−平衡信号間変換も行う）マッチングネットワーク（４３）と、前記第１、第２伝送ライン（Ｌ１、Ｌ２）の接点に陽極が接続され陰極が接地に接続される第３ピンダイオード（Ｄ３）と、前記第１ピンダイオード（Ｄ１）の陽極に一端が接続され送受信信号の波長（λ）に対して１／４の長さを有する第３伝送ライン（Ｌ３）と、前記第２ピンダイオード（Ｄ２）の陽極に一端が接続され送受信信号の波長（λ）に対して１／４の長さを有する第４伝送ライン（Ｌ４）と、前記第２、第４伝送ライン（Ｌ３、Ｌ４）を共通に時分割制御信号（ＴＤＤ−ＴＸＯＮ）入力端に接続するバイアス抵抗（Ｒ）と、前記第３、第４伝送ライン（Ｌ３、Ｌ４）の接点を共通に接地に接続するキャパシター（Ｃ３）とで成る。
【００１９】
前記において、電力増幅器（４２）の出力側に設けられるマッチングネットワーク（４３）は送信時に含まれる可能性のある高調波成分を除去するフィルターまたはこれと同等な機能を行える回路を含むことができる。
【００２０】
前記図２に示す電力増幅モジュールは本発明による一実施例として、スイッチング手段にピンダイオードを用いて構成したものである。前記ピンダイオードは順方向の電圧が所定レベル以上であるとターンオン状態になり、順方向の電圧が所定レベル以上にならなければターンオフ状態になり、オン／オフスイッチング素子として機能する素子である。
【００２１】
そして、前記電力増幅器（４２）は、電源（Ｖｃｃ）が常時入力されながら、時分割動作制御信号（ＴＤＤ−ＴＸＯＮ信号）がエンエーブル（Ｖｐａｏｎ）信号として入力され、前記時分割動作制御信号（ＴＤＤ−ＴＸＯＮ信号）がハイ信号であれば動作し、ロー信号であれば増幅動作を中断する。また、別途の端子からパワー制御信号（Ｐｃｔｒｌ）が入力されながら、これに応じて増幅利得が調節される。このための電力増幅器には一般に周知の電力増幅器を使用でき、本発明においては電力増幅器（４２）を時分割方式により送受信モードに同期させ制御するものであり、前記時分割動作制御信号（ＴＤＤ−ＴＸＯＮ信号）がハイ信号の場合とロー信号の場合とを区分して具体的に説明する。
【００２２】
前記図２に表す電力増幅モジュールの動作説明は図３及び図４を参照する。図３は時分割動作制御信号（ＴＤＤ−ＴＸＯＮ信号）がハイ信号の場合の信号経路を表すブロック図として、ハイ信号の場合に信号は第１ポート（Ｐ１）→マッチングネットワーク（４１）→電力増幅器（４２）→マッチングネットワーク（４３）→第２ポート（Ｐ２）順に伝送される。
【００２３】
具体的に説明すれば、時分割動作制御信号（ＴＤＤ−ＴＸＯＮ信号）がハイ信号の場合、陽極に第３、第４伝送ライン（Ｌ３、Ｌ４）及び抵抗（Ｒ）を通して時分割動作制御信号が印加される第１、第２ピンダイオード（Ｄ１、Ｄ２）は陽極電圧が陰極電圧より高くなりターンオンされ、こうして陰極が接地され陽極が第１、第２伝送ライン（Ｌ１、Ｌ２）を通して前記第１、第２ピンダイオード（Ｄ１、Ｄ２）に接続された第３ピンダイオード（Ｄ３）もターンオンになる。
【００２４】
従って、第１、第２ポート（Ｐ１、Ｐ２）に入力された所定波長（λ）の送受信信号に対して第１、第２伝送ライン（Ｌ１、Ｌ２）を考えると、前記λ／４（λは送受信信号の波長）の長さの第１、第２伝送ライン（Ｌ１、Ｌ２）は一端が接地されてショート状態となり、こうして第１、第２伝送ライン（Ｌ１、Ｌ２）側のインピーダンスが高くなる。この際、第１、第２ピンダイオード（Ｄ１、Ｄ２）はオン状態なので抵抗値がほぼ０となる。
【００２５】
従って、第２ポート（Ｐ２）に入力された受信信号は遮断され、第１ポート（Ｐ１）に入力された送信信号が相対的に抵抗の低い第１ピンダイオード（Ｄ１）を通してマッチングネットワーク（４１）に入力され、前記マッチングネットワーク（４１）のインピーダンスマッチングを通して信号歪曲や損失無しで送信信号が電力増幅器（４２）に伝送され、前記電力増幅器（４２）はパワー制御信号（Ｐｃｔｒｌ）により決定された利得で入力された送信信号を増幅出力し、前記電力増幅器（４２）から出力される送信信号はマッチングネットワーク（４３）とターンオン状態の第２ピンダイオード（Ｄ２）を通して第２ポート（Ｐ２）へ出力される。
【００２６】
前記において、キャパシター（Ｃ１、Ｃ２、Ｃ４、Ｃ５）は前記時分割制御信号（ＴＤＤ−ＴＸＯＮ）により直流成分の信号が信号経路に影響を与えないよう送信信号の交流成分のみを通過させて直流成分を阻止する。そして、キャパシター（Ｃ３）は送信信号周波数の交流成分をグラウンドにバイパスさせて第３、第４伝送ライン（Ｌ３、Ｌ４）とキャパシター（Ｃ２、Ｃ４）との接点で第３、第４伝送ライン（Ｌ３、Ｌ４）のインピーダンスを大きくすることにより、送受信経路の送受信信号が制御信号（ＴＤＤ−ＴＸＯＮ）直流回路に流入することを阻止する役目を果たす。以上の作用によって、直流電圧の制御信号と隔離されて前記第１ポート（Ｐ１）に入力された信号が電力増幅器（４２）を経て第２ポート（Ｐ２）へ出力される。
【００２７】
次に、前記時分割制御信号（ＴＤＤ−ＴＸＯＮ）がロー信号の場合には、第２ポート（Ｐ２）から入力された受信信号が第２、第１伝送ライン（Ｌ２、Ｌ１）を経て第１ポート（Ｐ１）へ出力される。図４は時分割制御信号（ＴＤＤ−ＴＸＯＮ）がロー信号の場合の電力増幅モジュールの動作状態図として、これを参照しながらその作用をより具体的に説明すると次のとおりである。
【００２８】
即ち、時分割制御信号（ＴＤＤ−ＴＸＯＮ）がロー信号の場合、前記時分割制御信号（ＴＤＤ−ＴＸＯＮ）入力端に抵抗（Ｒ）及び第３、第４伝送ライン（Ｌ３、Ｌ４）を通して接続された第１、第２ピンダイオード（Ｄ１、Ｄ２）の陽極電圧が下がる。従って、前記第１、第２ピンダイオード（Ｄ１、Ｄ２）はターンオフ状態になる。また、第３ピンダイオード（Ｄ３）も陽極電圧が下がりターンオフ状態となる。第１、第２、第３ピンダイオード（Ｄ１〜Ｄ３）の抵抗成分が高くなる。
【００２９】
従って、前記ターンオフ状態の第１、第２ピンダイオード（Ｄ１、Ｄ２）により、第１、２ポート（Ｐ１、Ｐ２）から電力増幅器（４２）への信号伝送が遮断される。そして、第１、第２伝送ライン（Ｌ１、Ｌ２）はその接点にある第３ピンダイオード（Ｄ３）の抵抗成分が高くなることによりインピーダンス整合された伝送線路として機能するようになる。また、第２ポート（Ｐ２）から入力された受信信号は第１、第２伝送ライン（Ｌ１、Ｌ２）を通して第１ポート（Ｐ１）へ出力される。
【図面の簡単な説明】
【００３０】
【図１】本発明による時分割方式電力増幅モジュールから成るクラス１のブルートゥース方式無線送受信機を表す概略ブロック図である。
【図２】本発明による時分割方式電力増幅モジュールの一実施例を表す詳細ブロック図である。
【図３】本発明による時分割方式電力増幅モジュールの送信（ＴＸ）モード動作状態図である。
【図４】本発明による時分割方式電力増幅モジュールの受信（ＲＸ）モード動作状態図である。
【図５】一般的なクラス２のブルートゥース方式無線送受信機の構成図である。
【図６】一般的なクラス１のブルートゥース方式無線送受信機の構成図である。
【図７】高集積化したクラス２のブルートゥース方式無線送受信機を表す構成図である。
【符号の説明】
【００３１】
２０、３０、１１０  ブルートゥース送受信モジュール
４０  時分割方式電力増幅モジュール
４１、４３  マッチングネットワーク
４２  電力増幅器（ＰＡ）
Ｌ１〜Ｌ４  波長λに対して１／４の長さのストリップライン
Ｃ１〜Ｃ５  キャパシター
Ｄ１〜Ｄ３  ピンダイオード
Ｒ  バイアス抵抗
【図１】
2004364237.tif 000003
【図２】
2004364237.tif 000004
【図３】
2004364237.tif 000005
【図４】
2004364237.tif 000006
【図５】
2004364237.tif 000007
【図６】
2004364237.tif 000008
【図７】
2004364237.tif 000009